(57)【特許請求の範囲】
【請求項１】
ズボンの内部に溜まる熱気や湿気を放出する腰部に取り付ける熱湿気放出器であり、把持部の右端及び左端に位置し上下方向に進展する一対の側筒部が上下方向にスリット状の開口部を残して湾曲し、該把持部が左右の該側筒部の上部の間に配置されていることを特徴とする熱湿気放出器。
【発明の詳細な説明】
【技術分野】
【０００１】
ズボン内部の熱気、湿気の放出に関する
【背景技術】
【０００２】
特許文献１によると、下半身に着用される衣服に冷却のために空気の流通路を確保する点において本発明と類似する。
【０００３】
特許文献1では、ズボン全体にスペーサーを配置しファンを用いて空気を強制的に排気している。一方、本発明はズボンの背面の腰部に差し込まれる熱湿気放出器が把持部と２つの側筒部によって気道を確保することにより熱気と湿気を放出する。そのため特許文献１と本発明は仕組みと方法において異なる。
【０００４】
特許文献２によると、ズボンの内の熱気を外部へ排出するエア排出部を設けている点において本発明と類似する。
【０００５】
特許文献２では、チューブが身体に巻き付けられるズボン腰帯部の内部に収められている、もしくは巻き付け材に固着されている。一方、本発明はズボンの腰部に差し込む熱湿気放出器であり、開口部を持つ左右２つの側筒部と把持部とで水平方向に１つの気道口を形成している。そのため特許文献２と本発明は態様と構造において異なる。
【０００６】
特許文献３によると、通気ベルトがズボンに固定して状態で腰とズボンの間で隙間を作ることにおいて本発明と類似する。
【０００７】
特許文献３では、バンドを備え付けた長方形の板を曲げた状態でバンドで弓形に固定している。一方、本発明は上下方向に開口部を持つ左右２つの側筒部が垂直方向に気道を確保し、同時に側筒部と把持部とが水平方向に気道口を有している。そのため特許文献３と本発明は構造において異なる。
【先行技術文献】
【特許文献】
【０００８】
【特許文献１】国際公開番号WO２００２／０６７７０８公報（第２頁、第１８頁、２５頁）
【特許文献２】特開２００９−２２８１９１公報（第２頁、第５頁、第７頁）
【特許文献３】特開２０１２−７２７６公報（第２頁、第３頁、第４頁）
【発明の概要】
【発明が解決しようとする課題】
【０００９】
長ズボンの着用が規定されている工事、作業従事者やクールビズではあっても長ズボンの着用が常識となっている会社員がとくに夏の屋外で活動するとき、外気温と上昇する体温とによってズボンの内部で発汗し、熱湿気で蒸れることが常である。また、外部への気道が確保されていない長ズボンの内部で汗や熱湿気により一旦下着が濡れると、ズボンを着用したままで乾燥させることは大層困難である。
【００１０】
斯かるズボン内部での蒸れを抑え、下着の乾燥を促すために、熱湿気がズボンから放出されず外気がズボン内へ取り込まれない状況を解消することが求められる。
【課題を解決するための手段】
【００１１】
上記課題を解決するために、請求項１の発明は、ズボンの内部に溜まる熱気や湿気を放出する腰部に取り付ける熱湿気放出器であり、把持部の右端及び左端に位置し上下方向に進展する一対の側筒部が上下方向にスリット状の開口部を残して湾曲し、該把持部が左右の該側筒部の上部の間に配置されていることを要旨とする。
【発明の効果】
【００１２】
本発明は、ズボン内部の熱気や湿気を自然放出し、外気をズボン内部へ取り込むことができる。
【００１３】
本発明は、簡素な構造と小さな表面積で垂直方向、水平方向ともに気道を確保している。
【００１４】
本発明は、簡素な構造と小さな表面積のため軽量である。
【００１５】
本発明は、屈んだときや外部から押されるなどして圧迫されたとき、上下方向に開口した筒状の側筒部が撓むことによって腰部への当りを緩和することができる。
【００１６】
本発明は、ズボンを着用し終えた状態で装着することがでる。また、両側部の中間にある把持部が把手となり、ズボンの腰部への挿入時に利用できる。
【００１７】
本発明は、上記の効果を一括して実現することができる。
【図面の簡単な説明】
【００１８】
【図１】本発明に係り、熱湿気放出器の一例を示す正面図である。
【図２】本発明に係り、熱湿気放出器の一例を示す背面図である。
【図３】本発明に係り、熱湿気放出器の一例を示す上面図である。
【図４】本発明に係り、熱湿気放出器の一例を示す側面図である。
【図５】本発明に係り、熱湿気放出器の把持された状態の一例を示す正面図である。
【発明を実施するための形態】
【００１９】
以下、本発明について図面を参照して詳細に説明する。なお、この実施の形態によりこの発明が限定されるものではない。
【００２０】
図１は、熱湿気放出器１０を示す正面図である。左右２つの側筒部１１は可撓性のあるプラスチック製で、上下方向にスリット状の開口部を残して円筒状に湾曲して相対している。２つの側筒部の中間部分である把持部が側筒部の上部から延伸している。尚、この例示によると２つの側筒部１１は下方に向かって広がって配置されている。
【００２１】
図２は、熱湿気放出器１０を示す背面図である。止め具１３が背面の左右の上部に配置されている。
【００２２】
図３は、熱湿気放出器１０を示す上面図である。熱湿気放出器１０は左右の側筒部１１と把持部１２とにより水平方向に気道を確保している。同時にこの気道全体が左右の側筒部１１により垂直方向に側筒部１１の下端まで確保されている。尚、この例示によると垂直方向には側筒部１１が下方に向かって左右に張り出している。
【００２３】
開口部を残して湾曲した左右の側筒部１１と把持部１２とによって形成される楕円形状と材質の可撓性とによって、熱湿気放出器１０を装着して前かがみになったときや外部からの力によって圧迫されたときに、熱湿気放出器１０の全体が撓むことになり、身体への影響を緩和する。
【００２４】
図４は、熱湿気放出器１０を示す側面図である。熱湿気放出器１０は腰２０に接して装着されており、止め具１３はズボン４０の上辺で留まっている。側筒部１１は垂直方向にズボンの内奥まで気道を確保している。尚、この例示によると側筒部１１の上端は腰２０に向かって斜めにせり上がった形状をしており、下端は前後からきり上がっている。
【００２５】
図５は、熱湿気放出器１０の把持された状態を示す正面図である。手３０は把持部１２を握って側筒部１１の先端からズボンの腰部へ熱湿気放出器１０を差し込む。
【産業上の利用可能性】
【００２６】
本発明は簡素な仕組みでズボンの内部の熱湿気を自然放出し、外気を取り込むことで蒸れを緩和できるため、夏の時期に猛暑に見舞われる工事従事者、作業者をはじめ会社員など多くの人々に利用される可能性がある。
【符号の説明】
【００２７】
１０  熱湿気放出器
１１  側筒部
１２  把持部
１３  止め具
２０  腰  
３０  手
４０  ズボン  
【要約】
【課題】長ズボンの着用が規定されている工事、作業従事者やクールビズではあっても長ズボンの着用が常識となっている会社員がとくに夏の屋外で活動するとき、外部への気道が確保されていない長ズボンの内部で汗や熱湿気により下着が濡れることになり、時にズボン着用の状態で下着を乾かすことにもなる。斯かる事態の発生を抑制し、状況の改善を図ることが求められる。
【解決手段】ズボン内部の熱気や湿気を自然放出し、外気をズボン内部へ取り込むことができる簡素な構造と小さな表面積で垂直方向、水平方向ともに効率的に気道が確保された軽量な熱湿気放出器。
【選択図】図１【図１】
0005933080.tif 000002
【図２】
0005933080.tif 000003
【図３】
0005933080.tif 000004
【図４】
0005933080.tif 000005
【図５】
0005933080.tif 000006